(57)【特許請求の範囲】
【請求項１】
ワイヤレス信号によってワイヤレス受信器を携帯したユーザを呼び出すワイヤレスコールシステムにおいて、
カウント番号を記憶する記憶手段と、前記ワイヤレス受信器に対する所定の操作を検出した場合に、前記記憶手段に記憶されたカウント番号を繰り上げて新たなカウント番号を生成して前記記憶手段に記憶させるカウンタ手段と、前記カウンタ手段によって生成された新たなカウント番号を、前記ワイヤレス受信器に送信する送信手段とを備えたカウンタ装置と、
自己の固有の識別番号又は前記カウンタ装置から送信されたカウント番号を記憶する記憶手段と、前記記憶手段に記憶された自己の識別番号を含むワイヤレス信号を受信する受信手段と、前記受信手段によりワイヤレス信号に含まれる呼出通知信号を受信した場合に呼び出されたことの報知を行う報知手段と、前記カウンタ装置の送信手段からのカウント番号を受信した場合に当該カウント番号を前記記憶手段に記憶させる制御手段とを備えたワイヤレス受信器と、
前記ワイヤレス受信器を呼び出す操作がされる操作入力手段と、当該操作入力手段に対する操作によって前記ワイヤレス受信器の識別番号又はカウント番号を含む呼出通知信号を送信する送信手段とを備えたワイヤレス送信器とを備え、
前記カウンタ装置は、前記ワイヤレス受信器が装着される装着機構と、当該装着機構に前記ワイヤレス受信器が装着されている場合に、当該ワイヤレス受信器を充電する充電手段とを更に備え、
前記カウンタ手段は、前記所定の操作として、前記ワイヤレス受信器が装着機構から取り外されて前記充電手段による充電が解除される操作を検出し、
前記カウンタ装置のカウンタ手段は、前記装着機構に前記ワイヤレス受信器が装着されて前記充電手段によって充電を開始した時にカウント番号をリセットし、前記カウンタ装置の送信手段は、前記装着機構から前記ワイヤレス受信器が取り外されて前記充電手段による充電が解除された時に当該ワイヤレス受信器にカウント番号を送信する
ことを特徴とするワイヤレスコールシステム。
【請求項２】
前記ワイヤレス受信器は、前記記憶手段にカウント番号を記憶している場合に、当該カウント番号を表示する表示手段を更に備えることを特徴とする請求項１に記載のワイヤレスコールシステム。
【請求項３】
前記ワイヤレス送信器の送信手段は、前記操作入力手段によって入力されたカウント番号が記憶されたワイヤレス受信器の識別番号及び当該入力されたカウント番号を含む呼出通知信号を送信し、
前記ワイヤレス受信器は、前記呼出通知信号に含まれる識別番号が自己の記憶手段に記憶されている識別番号であり、且つ前記呼出通知信号に含まれるカウント番号が自己の記憶手段に記憶されているカウント番号である場合に、前記報知手段によって報知を行うこと
を特徴とする請求項１又は請求項２に記載のワイヤレスコールシステム。
【発明の詳細な説明】
【技術分野】
【０００１】
本発明は、例えばフードコートなどで使用され、店舗に設置されたワイヤレス送信器と来店客が保持するワイヤレス受信器との間で無線信号を授受して、ワイヤレス受信器を保持した来店客の呼出を行うワイヤレスコールシステムに関する。
【背景技術】
【０００２】
従来より、例えばフードコートなどの広い客席面積に来店客が自由に客席を選ぶことができ、複数の小店舗を複合した施設において、店舗から来店客を呼び出すためにワイヤレスコールシステムを利用していることが多い。このワイヤレスコールシステムは、下記の特許文献１に示すようなワイヤレス受信器を利用していた。
【０００３】
この特許文献１には、店舗の会計レジで来店客からの注文を受けた後に、ワイヤレス受信器を来店客に渡してテーブルに待機してもらい、注文の品の調理が完了したら、所定のワイヤレス信号を店舗のワイヤレス送信器からワイヤレス受信器に送信する。そして、ワイヤレス信号をワイヤレス受信器で受信した場合に、当該ワイヤレス受信器で報知音を出力することによって、来店客に注文の品の調理が完了したことを通知している。
【０００４】
このようなワイヤレスコールシステムにおけるワイヤレス受信器には、他のワイヤレス受信器と区別するための固有番号が番号シール、番号プレートといった形態で視認可能となっている。そして、ワイヤレス受信器を来店客に渡すときに店舗側で注文の品と固有番号との対応を手書きで記録しておき、注文の品の引き渡し時には、当該注文の品に対応した店舗側で記録しておいた固有番号と、来店客が保有しているワイヤレス受信器の固有番号とを照合していた。
【特許文献１】特開２００１−１９７６７４号公報
【発明の開示】
【発明が解決しようとする課題】
【０００５】
しかしながら、ワイヤレス受信器の固有番号は、当該ワイヤレス受信器に表示されていて他のワイヤレス受信器と区別するためには有用であるものの、複数のワイヤレス受信器を店舗側で保持していて任意のワイヤレス受信器を来店客に渡すと、注文の受付順とワイヤレス受信器の固有番号との関連性がないという問題がある。例えば、注文の受付順と固有番号との関連が無いために、厨房において調理の順序が分からなくなるといった不具合が起こる可能性があった。
【０００６】
そこで、本発明は、上述した実情に鑑みて提案されたものであり、ワイヤレス受信器を顧客に引き渡した順序とワイヤレス受信器の番号との関連性を持たせたワイヤレスコールシステムを提供することを目的とする。
【課題を解決するための手段】
【０００７】
本発明は、ワイヤレス信号によってワイヤレス受信器を携帯したユーザを呼び出すワイヤレスコールシステムにおいて、上述の課題を解決するために、カウント番号を記憶する記憶手段と、前記ワイヤレス受信器に対する所定の操作を検出した場合に、前記記憶手段に記憶されたカウント番号を繰り上げて新たなカウント番号を生成して前記記憶手段に記憶させるカウンタ手段と、前記カウンタ手段によって生成された新たなカウント番号を、前記ワイヤレス受信器に送信する送信手段とを備えたカウンタ装置と、自己の固有の識別番号又は前記カウンタ装置から送信されたカウント番号を記憶する記憶手段と、前記記憶手段に記憶された自己の識別番号を含むワイヤレス信号を受信する受信手段と、前記受信手段によりワイヤレス信号に含まれる呼出通知信号を受信した場合に呼び出されたことの報知を行う報知手段と、前記カウンタ装置の送信手段からのカウント番号を受信した場合に当該カウント番号を前記記憶手段に記憶させる制御手段とを備えたワイヤレス受信器と、前記ワイヤレス受信器を呼び出す操作がされる操作入力手段と、当該操作入力手段に対する操作によって前記ワイヤレス受信器の識別番号又はカウント番号を含む呼出通知信号を送信する送信手段とを備えたワイヤレス送信器とを備える。
【０００８】
このようなワイヤレスコールシステムは、カウンタ装置によって、それぞれのワイヤレス受信器の記憶手段に記憶させるカウント番号を連続した値とする。
【発明の効果】
【００１０】
本発明によれば、それぞれのワイヤレス受信器の記憶手段に記憶させるカウント番号を連続した値とすることができるので、ワイヤレス受信器をユーザに引き渡した順序とワイヤレス受信器のカウント番号との関連性を持たせることができる。
【発明を実施するための最良の形態】
【００１１】
以下、本発明の実施の形態について図面を参照して説明する。
【００１２】
本発明は、例えば図１に示すように構成されたワイヤレスコールシステムに適用される。このワイヤレスコールシステムは、例えばフードコートなど、広い客席面積において来店客が自由に客席を選ぶことができる複数の小店舗を複合した施設において、店舗から来店客を呼び出すためのものである。このワイヤレスコールシステムは、店舗のカウンター内にカウンタ装置１及びワイヤレス送信器２が設置され、カウンタ装置１に装着された複数のワイヤレス受信器３Ａ，３Ｂ，３Ｃ，３Ｄ，３Ｅ（以下、総称する場合には単に「ワイヤレス受信器３」と呼ぶ。）を注文をした来店客に携帯させる。
【００１３】
このようなワイヤレスコールシステムは、店舗で来店客が料理を注文した場合にワイヤレス受信器３をカウンタ装置１から取り外して来店客に携帯させる。このとき、カウンタ装置１は、取り外されたワイヤレス受信器３に対してカウント番号を含むワイヤレス信号（カウント番号設定信号）を送信して記憶させる。このカウント番号は、カウンタ装置１からワイヤレス受信器３が取り外された時にカウンタ装置１によってインクリメントされた値である。複数のワイヤレス受信器３が順次連続してカウンタ装置１から取り外された場合、それぞれのワイヤレス受信器３のカウント番号は、カウンタ装置１から取り外された順序に従って順次連続した値（１，２，３，・・・）となる。
【００１４】
そして、店舗にて来店客が注文した料理ができた場合に、ワイヤレス送信器２からワイヤレス受信器３に、その旨を通知するワイヤレス信号（呼出通知信号）を送信して、ワイヤレス受信器３によって店舗からの呼び出しを来店客に通知する。
【００１５】
ワイヤレス受信器３は、図２に示すように、ＣＰＵ（Central Processing Unit）１０に、自己のＩＤ番号（識別番号）を含むワイヤレス信号を受信する受信手段となるワイヤレス信号処理機能（高周波増幅部１１，混合部１２，バンドパスフィルタ１３，ＩＦ増幅部１４，ローパスフィルタ１５，波形整形部１６，受信用ＶＣＯ（Voltage Controlled Oscillator）１７，ＰＬＬ（Phase Locked Loop）制御部１８）と、ワイヤレス信号に含まれる呼出通知信号をＣＰＵ１０で受信した場合に呼び出されたことの報知を行う報知手段、自己に記憶しているカウント番号を表示する表示手段となる報知・表示機能（発音部１９，表示部２０，振動部２１）と、キー入力部２２と、自己の固有のＩＤ番号及びカウンタ装置１から送信されたカウント番号を記憶する記憶手段となるＥＥＰＲＯＭ（Electrically Erasable and Programmable Read Only Memory）２３とを備える。このワイヤレス受信器３において、ＣＰＵ１０は、受信したワイヤレス信号に含まれるカウント番号を受信した場合に当該カウント番号をＥＥＰＲＯＭ２３に記憶させて、表示させる制御手段となる。なお、この説明においては、ワイヤレス受信器３に表示部２０を備えている例を説明するが、カウント番号に応じて来店客に呼出を通知できるものであれば、表示部２０を備えていなくても良い。
【００１６】
このワイヤレス受信器３は、アンテナＡＮＴから受信したワイヤレス信号を、高周波増幅部１１で増幅し、混合部１２によって高周波増幅部１１で増幅されたワイヤレス信号と所定周波数に制御されている周波数信号とを混合する。次に、バンドパスフィルタ（ＢＰＦ）１３によって特定の物理チャンネルの周波数であるワイヤレス信号を取り出し、ＩＦ増幅部１４で中間周波を増幅して、更に、ローパスフィルタ（ＬＰＦ）１５で不要な周波数信号を取り除いて特定の物理チャンネルの周波数であるワイヤレス信号を取り出した後、波形整形部１６で波形を整形する。このワイヤレス信号は、ＣＰＵ１０に入力され、当該ワイヤレス信号に含まれる信号が解析される。
【００１７】
ＣＰＵ１０は、ワイヤレス信号を受信するための処理として、ＰＬＬ制御部１８に、アンテナＡＮＴで受信する特定の物理チャンネルの周波数を指定する制御信号を供給して、受信用ＶＣＯ１７から混合部１２に特定の物理チャンネルの周波数信号を混合部１２に供給させる。ＣＰＵ１０は、波形整形部１６からワイヤレス信号を受信すると、当該ワイヤレス信号に含まれるＩＤ番号を取り出して、既にＥＥＰＲＯＭ２３に記憶されている自己のＩＤ番号と照合する。そして、ワイヤレス信号に含まれるＩＤ番号が自己のＩＤ番号と一致した場合に、当該ワイヤレス信号に基づく処理を行う。なお、以下では、ワイヤレス信号の種類によって、当該ワイヤレス信号をカウント番号設定信号又は呼出通知信号と呼び、当該カウント番号設定信号及び呼出通知信号を包括した無線電波及び当該無線電波を各部１１〜１６で処理してＣＰＵ１０で取得した信号を「ワイヤレス信号」と呼ぶ。
【００１８】
ＣＰＵ１０は、カウンタ装置１からのカウント番号設定信号を受信した場合、当該カウント番号設定信号に含まれるカウント番号をＥＥＰＲＯＭ２３に格納する。また、ＣＰＵ１０は、カウント番号を表示部２０に表示させる制御をする。これによって、ワイヤレス受信器３は、来店客に自己のカウント番号を通知する。
【００１９】
ＣＰＵ１０は、ワイヤレス送信器２からの呼出通知信号を受信した場合、発音部１９から所定の音響を出力させて店舗からの呼び出しを来店客に通知する。また、ＣＰＵ１０は、振動部２１を動作させてワイヤレス受信器３本体を振動させる、又は、表示部２０の表示形態を変更して、店舗からの呼び出しを来店客に通知しても良い。なお、キー入力部２２は、振動部２１よる振動出力モードの切り換え、発音部１９による音響出力の仕方などを設定するための操作部であり、店舗の従業員などによって操作される。
【００２０】
また、ワイヤレス受信器３は、来店客に携帯されている時の作動電力をＣＰＵ１０等に供給する機能として、Ｎｉ−Ｃｄ電池などの充電池２４，充電回路２５，充電状態検出部２６，定電流回路２７，電池切れ検出部２８を備える。
【００２１】
ワイヤレス受信器３は、カウンタ装置１に装着されている時には、無接点式で充電回路２５がカウンタ装置１からの電力供給を受け、当該電力の電流値を定電流回路２７で平滑化して充電池２４を充電している。充電回路２５は、カウンタ装置１の充電用一次コイル（図３を参照）に対応させて設けた充電用二次コイル（誘導コイル）を備え、当該充電用二次コイルに発生する誘起電圧を定電流回路２７に供給する。定電流回路２７は、ダイオードやコンデンサなどからなり、誘起電圧を整流、平滑して、定電圧回路、定電流回路を介して充電池２４を充電させる。
【００２２】
充電状態検出部２６は、充電回路２５が充電池２４に電力を充電させているか否かの充電状態を監視し、充電回路２５から充電池２４への充電が停止された時及び開始された時にその旨をＣＰＵ１０に通知する。すなわち、充電状態検出部２６は、ワイヤレス受信器３がカウンタ装置１から取り外された所定の操作及び装着された所定の操作によって変化する充電状態を、ＣＰＵ１０に通知する。
【００２３】
ＣＰＵ１０は、ワイヤレス受信器３がカウンタ装置１から取り外されたことが通知され、その後に受信したカウント番号設定信号によってカウント番号をＥＥＰＲＯＭ２３に記憶させる。また、ＣＰＵ１０は、カウント番号をＥＥＰＲＯＭ２３に記憶させると共に、当該カウント番号を表示部２０で表示させる。
【００２４】
カウンタ装置１は、図３に示すように、ＣＰＵ３１に、記憶部３２と、複数の接点スイッチ３３Ａ，３３Ｂ，・・・，３３Ｅ（以下、総称する場合には単に「接点スイッチ３３」と呼ぶ。）と、無線通信部３４と、ワイヤレス受信器３を充電させるための発振回路３５，電源３６，電界効果トランジスタ３７及び一次コイル３８とを備える。
【００２５】
このカウンタ装置１は、記憶部３２が、直近に発行したカウント番号を記憶する記憶手段となり、ＣＰＵ３１が、ワイヤレス受信器３に対する所定の操作を検出した場合に、記憶部３２に記憶されたカウント番号を繰り上げて新たなカウント番号を生成して記憶部３２に記憶させるカウンタ手段となり、無線通信部３４が、当該新たなカウント番号を、所定の操作がされたワイヤレス受信器３に送信する送信手段となる。
【００２６】
接点スイッチ３３は、図１に示すような形態でワイヤレス受信器３が装着される装着機構に対するワイヤレス受信器３の有無を示す接点信号をＣＰＵ３１に供給する。この接点スイッチ３３は、例えば、図１に示すワイヤレス受信器３Ａ，３Ｂ，３Ｃ，３Ｄ，３Ｅに対する５個の装着機構に対して、５個の接点スイッチ３３Ａ，３３Ｂ，３３Ｃ，３３Ｄ，３３Ｅからなる。接点スイッチ３３は、ワイヤレス受信器３が装着機構に装着された時、ワイヤレス受信器３が装着機構から取り外された時に、接点信号をＣＰＵ３１に供給する。
【００２７】
記憶部３２には、図１に示したようにカウンタ装置１に装着される複数のワイヤレス受信器３Ａ，３Ｂ，３Ｃ，３Ｄ，３Ｅそれぞれについての固有のＩＤ番号と、直近に発行したカウント番号とが記憶されている。固有のＩＤ番号は、カウンタ装置１からワイヤレス受信器３Ａ，３Ｂ，３Ｃ，３Ｄ，３Ｅにワイヤレス信号を送信するに際して読み出され、カウント番号は、ＣＰＵ３１によって新たなカウント番号が発行される度に更新される。
【００２８】
無線通信部３４は、アンテナ３４ａを介してワイヤレス信号をワイヤレス受信器３に送信するための通信回路を含む。無線通信部３４は、ＣＰＵ３１からの送信命令に従って、ＣＰＵ３１によって記憶部３２から読み出されたＩＤ番号及び／又はカウント番号を含むワイヤレス信号を作成する。無線通信部３４は、上述のワイヤレス受信器３の通信回路である高周波増幅部１１，混合部１２，バンドパスフィルタ１３，ＩＦ増幅部１４，ローパスフィルタ１５及び波形整形部１６で受信可能な特定の物理チャンネルの周波数のワイヤレス信号を生成して、アンテナ３４ａから送出する。
【００２９】
また、カウンタ装置１は、当該装着機構にワイヤレス受信器３が装着されている場合に、当該ワイヤレス受信器３を充電する充電手段を備える。この充電手段は、無接点式の充電回路であり、ＣＰＵ３１からの制御信号に従って発振回路３５を発振させて、電界効果トランジスタ３７をオンオフ制御する。これによって、図１における商用電源４からの電力が降圧、整流、平滑されて蓄電した電源３６から、一次コイル３８に電力が供給され、ワイヤレス受信器３の充電回路２５の二次コイルに電圧を誘起させる。なお、図３は、単一の一次コイル３８しか図示していないが、カウンタ装置１の装着機構の数だけ一次コイル３８を備えている。
【００３０】
このようなカウンタ装置１において、ＣＰＵ３１は、接点スイッチ３３ごとに、装着機構に取り付けられたワイヤレス受信器３のＩＤ番号を記憶部３２に記憶させている。これによって、ＣＰＵ３１は、ワイヤレス受信器３がカウンタ装置１から取り外された時に、どの接点スイッチ３３からの接点信号を入力したかを判定することで、当該取り外されたワイヤレス受信器３のＩＤ番号を認識する。
【００３１】
また、ＣＰＵ３１は、装着機構からワイヤレス受信器３が取り外された時に、当該装着機構の接点スイッチ３３からその旨の接点信号を入力したことに応じて、現在記憶部３２に記憶されているカウント番号を１だけ繰り上げた新たなカウント番号を発行する。この新たなカウント番号は、装着機構から取り外されたワイヤレス受信器３のＩＤ番号、カウント番号設定信号の送信命令と共に、無線通信部３４に供給される。無線通信部３４は、装着機構から取り外されたワイヤレス受信器３のＩＤ番号と新たなカウント番号とを含むカウント番号設定信号をワイヤレス受信器３に送信する。これによって、カウンタ装置１は、ワイヤレス受信器３が装着機構から取り外されて充電が解除されたという所定の操作を検知した時に、当該所定の操作がなされたワイヤレス受信器３に新たなカウント番号を記憶、表示させることができる。
【００３２】
ワイヤレス送信器２は、図１に示すように、フードコートにおけるカウンタ内であって、店員に操作されて、来店客を呼び出すための動作を行う。ワイヤレス送信器２は、表示部２ａと番号操作部２ｂと呼出操作部２ｃとを備え、更に図示しないアンテナ、無線通信部を備える。このワイヤレス送信器２は、利用されるワイヤレス受信器３のＩＤ番号を記憶しており、カウンタ装置１によって発行した新たなカウント番号及びＩＤ番号を含むワイヤレス信号を受信する。これによって、ワイヤレス送信器２は、ＩＤ番号とカウント番号との対応関係を記憶する。
【００３３】
そして、ワイヤレス送信器２は、店員によって来店客を呼び出すに際して、カウント番号が番号操作部２ｂを介して入力操作され、呼出操作部２ｃが入力操作されると、当該入力されたカウント番号と、当該カウント番号に対応したＩＤ番号とを含む呼出通知信号を送出する。なお、店員によるカウント番号の操作入力時に、必要に応じて入力内容を表示部２ａに表示させても良い。これにより、呼出通知信号は、当該呼出通知信号に含まれるＩＤ番号のワイヤレス受信器３で受信され、店員によって呼び出されていることを通知させる。なお、この説明においては、呼出通知信号にカウント番号及びＩＤ番号の双方を含める場合について説明するが、ワイヤレス送信器２は、呼出通知信号にＩＤ番号が含まれていれば、カウント番号を含まない呼出通知信号を送信しても良い。
【００３４】
つぎに、上述したように構成されたワイヤレスコールシステムにおいて、カウンタ装置１からワイヤレス受信器３が取り外されてから、再度ワイヤレス受信器３がカウンタ装置１に取り付けられるまでの動作について、図４を参照して説明する。なお、図４においては、カウンタ装置１及びワイヤレス送信器２が設けられたカウンタ側の動作と、ワイヤレス受信器３の動作である客席側の動作との関係を示している。
【００３５】
先ず、カウンタ装置１は、ステップＳＴ１において、装着機構からワイヤレス受信器３が取り外されたか否かを検出し、接点スイッチ３３から、ワイヤレス受信器３が取り外されたことを示す接点信号をＣＰＵ３１で入力した場合にはステップＳＴ２に処理を進め、ワイヤレス受信器３が取り外されていない場合にはこの判定を所定時間ごとに繰り返す。
【００３６】
カウンタ装置１は、ワイヤレス受信器３が装着機構から取り外された場合に、当該ワイヤレス受信器３のＩＤ番号を認識する。この取り外されたワイヤレス受信器３のＩＤ番号を認識する処理は、例えば、ワイヤレス受信器３がカウンタ装置１に装着された時に、当該ワイヤレス受信器３から自己のＩＤ番号を通知するワイヤレス信号を受信することによって、装着時に接点信号を出力した接点スイッチ３３とＩＤ番号との対応関係を取得しておき、ワイヤレス受信器３が取り外された接点スイッチ３３の接点信号から当該取り外されたワイヤレス受信器３のＩＤ番号を認識できる。また、ワイヤレス受信器３がカウンタ装置１から取り外された時に、当該ワイヤレス受信器３から自己のＩＤ番号を通知するワイヤレス信号を受信することによって、当該ワイヤレス受信器３のＩＤ番号を取得しても良い。更に、カウンタ装置１から取り外された時にのみワイヤレス信号の授受を行うようなワイヤレス受信器３である場合、カウンタ装置１から複数のワイヤレス受信器３にワイヤレス信号をブロードキャストして、取り外されたワイヤレス受信器３からのＡＣＫを受け取ることによって、取り外されたワイヤレス受信器３のＩＤ番号を取得しても良い。
【００３７】
ステップＳＴ２において、カウンタ装置１のＣＰＵ３１は、記憶部３２に記憶された現在のカウント番号をインクリメントすることによって、直近に発行したカウント番号から１だけ繰り上げた新たなカウント番号を発行して、記憶部３２のカウント番号を更新する。例えば、直近に発行したカウント番号が「１５」であった場合に、当該「１５」から１だけ繰り上げたカウント番号「１６」を新たなカウント番号とする。
【００３８】
次のステップＳＴ３において、カウンタ装置１のＣＰＵ３１は、ステップＳＴ２で更新した新たなカウント番号「１６」と、ステップＳＴ１で認識したカウンタ装置１から取り外されたワイヤレス受信器３のＩＤ番号とを含むカウント番号設定信号Ｓ１を無線通信部３４から送出させる。なお、カウント番号設定信号Ｓ１は、ワイヤレス送信器２でも受信されて、ワイヤレス送信器２によってＩＤ番号とカウント番号「１６」との対応関係が記憶される。
【００３９】
ワイヤレス受信器３のＣＰＵ１０は、ステップＳＴ１１において、カウント番号設定信号Ｓ１を受信すると、当該カウント番号設定信号Ｓ１に含まれるＩＤ番号が、ＥＥＰＲＯＭ２３に記憶されている自己のＩＤ番号である場合に、当該カウント番号設定信号Ｓ１に含まれるカウント番号「１６」を取り出して、ＥＥＰＲＯＭ２３に記憶する。また、このステップＳＴ１１において、ＣＰＵ１０は、カウント番号「１６」を表示部２０に表示させる。
【００４０】
このように、カウンタ装置１で新たなカウント番号「１６」が発行されて、ワイヤレス受信器３でカウント番号「１６」が表示されると、店舗側で当該カウント番号「１６」を確認して、ワイヤレス受信器３が来店客に渡される。これによって、カウント番号「１６」と注文の品との対応付けなどを行うことができ、カウント番号の順序、すなわち注文を受けた順序に従って注文の品を用意することができる。
【００４１】
次のステップＳＴ４において、例えば注文の品をカウント番号「１６」のワイヤレス受信器３を保持した来店客に渡すために、カウンタ側においてワイヤレス送信器２の番号操作部２ｂが操作されて、カウント番号「１６」が入力され、呼出操作部２ｃが操作されると、ワイヤレス送信器２は、当該入力されたカウント番号「１６」に対応したＩＤ番号を取得し、当該ＩＤ番号及びカウント番号「１６」を含む呼出通知信号Ｓ２を送出する。なお、この呼出通知信号Ｓ２には、ＩＤ番号及びカウント番号を含めるとしたが、カウント番号順にワイヤレス受信器３に呼出操作をさせることができるのであればＩＤ番号のみであっても良い。
【００４２】
ワイヤレス受信器３のＣＰＵ１０は、ステップＳＴ１２において、呼出通知信号Ｓ２を受信すると、ステップＳＴ１３において、当該呼出通知信号Ｓ２に含まれるＩＤ番号がＥＥＰＲＯＭ２３に記憶されている自己のＩＤ番号か否かを判定し、自己のＩＤ番号である場合にはステップＳＴ１４に処理を進め、自己のＩＤ番号ではない場合にはステップＳＴ１２に処理を戻して、呼出通知信号Ｓ２の受信待ち状態となる。
【００４３】
ステップＳＴ１４において、ワイヤレス受信器３のＣＰＵ１０は、ステップＳＴ１２で受信した呼出通知信号Ｓ２に含まれるカウント番号が、ＥＥＰＲＯＭ２３に記憶されているカウント番号「１６」か否かを判定し、ＥＥＰＲＯＭ２３に記憶されているカウント番号「１６」である場合にはステップＳＴ１５に処理を進め、ＥＥＰＲＯＭ２３に記憶されているカウント番号「１６」ではない場合にはステップＳＴ１２に処理を戻して、呼出通知信号Ｓ２の受信待ち状態となる。
【００４４】
ステップＳＴ１５において、ワイヤレス受信器３のＣＰＵ１０は、発音部１９を制御することにより、店舗からの呼び出しがあった旨を通知する呼出動作を行う。これによって、来店客は、ワイヤレス受信器３を携帯して自己が注文した店舗に赴き、注文の品を受け取ることができる。
【００４５】
その後、カウンタ装置１の装着機構にワイヤレス受信器３が戻されて再装着されると、カウンタ装置１は、ステップＳＴ５において、接点スイッチ３３からの接点信号をＣＰＵ３１で検出して、ワイヤレス受信器３が再装着されたことを検出してステップＳＴ６に処理を進め、カウント番号「１６」をリセットする。このリセット処理は、現在カウント番号「１６」とワイヤレス受信器３のＩＤ番号との対応関係を削除するものである。
【００４６】
同時に、ワイヤレス受信器３は、ステップＳＴ１６において、充電回路２５がカウンタ装置１からの電力供給を受けて充電を開始したことを充電状態検出部２６で検知することにより、ＣＰＵ１０でカウンタ装置１に装着されたことを検出して、ステップＳＴ１７に処理を進め、ＥＥＰＲＯＭ２３に記憶させていたカウント番号「１６」をリセットすることで消去する。
【００４７】
以上詳細に説明したように、本発明を適用したワイヤレスコールシステムによれば、カウンタ装置１からワイヤレス受信器３から取り外された時に直近のカウント番号を繰り上げて新たなカウント番号を発行するので、カウンタ装置１から取り外された複数のワイヤレス受信器３に連続したカウント番号を記憶させることができ、ワイヤレス受信器３を来店客に引き渡した順序でワイヤレス受信器３にカウント番号を与えることができるので、例えばフードコートにおける厨房などで注文の品と注文順とワイヤレス受信器３のカウント番号との関連性を持たせることができる。これにより、ワイヤレス受信器３の固有の番号が注文順とは異なる場合のように、注文順序の前後を誤ることを回避できる。
【００４８】
また、このワイヤレスコールシステムによれば、呼出通知信号にカウント番号を含めてワイヤレス送信器２からワイヤレス受信器３に送信するので、カウント番号を使用してワイヤレス送信器２への操作入力などを行うことができ、ワイヤレス受信器３のＩＤ番号によって来店客を呼び出す場合と比較して誤動作を回避できる。
【００４９】
更に、このワイヤレスコールシステムによれば、ワイヤレス受信器３がカウンタ装置１に装着されていて充電中である状態から、ワイヤレス受信器３を取り外すという所定の操作と連動してカウント番号のインクリメントを行うことができ、カウント番号をインクリメントするための操作が簡単であり、他の操作のようにカウント番号をインクリメントする操作を忘れるなどの煩雑さを回避できる。
【００５０】
更にまた、このワイヤレスコールシステムによれば、ワイヤレス受信器３がカウンタ装置１に装着されて充電を開始する操作がなされた時、又は、ワイヤレス受信器３がカウンタ装置１から取り外されて充電を解除する操作がなされた時に番号設定信号をワイヤレス受信器３に送信して、ワイヤレス受信器３にカウント番号を付けるので、カウンタ装置１の通信範囲外であるなどの送信ミスが発生することを回避できる。
【００５１】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５２】
【図１】本発明を適用したワイヤレスコールシステムの構成を示す概略図である。
【図２】本発明を適用したワイヤレスコールシステムにおけるワイヤレス受信器の構成を示すブロック図である。
【図３】本発明を適用したワイヤレスコールシステムにおけるカウンタ装置の構成を示すブロック図である。
【図４】本発明を適用したワイヤレスコールシステムの動作を説明するフローチャートである。
【符号の説明】
【００５３】
１  カウンタ装置
２  ワイヤレス送信器
２ａ  表示部
２ｂ  番号操作部
２ｃ  呼出操作部
３  ワイヤレス受信器
４  商用電源
１０  ＣＰＵ
１１  高周波増幅部
１２  混合部
１３  バンドパスフィルタ
１４  ＩＦ増幅部
１５  ローパスフィルタ
１６  波形整形部
１７  受信用ＶＣＯ
１８  ＰＬＬ制御部
１９  発音部
２０  表示部
２１  振動部
２２  キー入力部
２３  ＥＥＰＲＯＭ
２４  充電池
２５  充電回路
２６  充電状態検出部
２７  定電流回路
２８  電池切れ検出部
３１  ＣＰＵ
３２  記憶部
３３  接点スイッチ
３４  無線通信部
３５  発振回路
３６  電源
３７  電界効果トランジスタ
３８  一次コイル
【図１】
0004654969.tif 000002
【図２】
0004654969.tif 000003
【図３】
0004654969.tif 000004
【図４】
0004654969.tif 000005